【事件の表示】
　平成８年特許願第１９９９４１号「液晶表示装置と投射型ディスプレイ」拒絶査定に対する審判事件［平成９年８月１５日出願公開、特開平９−２１１４３５］について、次のとおり審決する。
【結　論】
　本件審判の請求は、成り立たない。
【理　由】
【1】手続の経緯・本願発明
　本願は、平成8年7月30日(先の出願に基づく優先日:平成7年7月31日及び平成7年11月30日)に出願されたものである。その後なされた平成13年4月17日付け手続補正は、別途却下すべきものとなったので、本願の請求項1〜9に係る発明は、平成12年11月20日付け手続補正により補正された明細書の記載からみて、同明細書の特許請求の範囲の請求項1〜9に記載された事項によって特定されるものである。
　そのうち、本願の請求項1に係る発明(以下、「本願発明」という。)は以下のとおりのものである。
　「【請求項1】 高分子と液晶とを含む複合体からなり、光を散乱させることで表示を行う液晶表示装置であって、
　前記複合体の厚みをd(μm)、前記液晶の平均粒径または前記液晶の平均厚
みをR(μm)とするとき、
の関係を満足することを特徴とする液晶表示装置。」
　
【2】引用例
　前審の拒絶理由で引用された特開平3-505932号公報(以下「引用例1」という。)には以下の事項が記載されている。
[1-1]請求の範囲(14)
　「封じ込め媒体と、複屈折液晶材料とを有し、全液晶材料の正常屈折率と異常屈折率との差が0.23乃至0.30であり、前記液晶材料は前記封じ込め媒体中に実質的に球形カプセルで分散され、前記カプセルは約0.5乃至2.5ミクロンの直径を有し、前記封じ込め媒体は前記液晶材料の全体的にゆがんだ整列を生じさせ、前記液晶材料は、かかる整列に応じて、光を散乱し及び又は吸収し、かつ電界に応答して前記散乱又は吸収の量を減じ、前記電界を印加するための電極被覆基板を有し、前記封じ込め媒体は前記電極被覆基板間に配置され、かつ8乃至18ミクロンの厚さを有し、前記液晶材料の構造と一致する多色性色素を前記液晶材料の中に含有し、前記液晶材料中の前記色素の濃度は約0.6%乃至1.2%程度である、液晶装置。」
　
[1-2]3頁左下欄10行〜12行
　「本発明のもう1つの目的は、電界ゼロ状態における後方散乱効果が向上し、しかも電界印加状態における後方散乱効果が向上し、しかも電界印加状態における光の透過性が向上したゲスト・ホスト方式の表示装置を提供することにある。」
　
[1-3]4頁左下欄1行〜5頁左上欄5行、第3,4図
　「第3図及び第4図に示すように、液晶セル32は基板40及び42で該基板間に支持されたNCPA液晶材料38を含む。前記基板はそれぞれ該基板上に形成された電極44及び46を有する。取付け基板40及び42と電極44及び46とは光学的に透明なので、液晶セルは、液晶材料に印加された電界に応じて、液晶セルを通る光の透過を制御できる。・・・
　NCPA液晶材料38は、カプセル52の内部体積50の領域内にほぼ封じ込められた液晶48を含む。液晶の体積が三次元マトリックスすなわち封じ込め媒体56の全体に分散している。このマトリックスは、好ましくは、1998年3月16日に出願された・・・米国特許出願第171,135号に開示、説明された種類のラテックス封じ込め媒体であるのが好ましい。
　言及したごとく、多量の液晶はばらばらであってもよいし相互に連結されていてもよい。・・・
　液晶48は、陽極誘電異方性を有するネマチィック又は作動上ネマチックな液晶材料であるのが好ましい。液晶は混ざり合った多色性色素を有する。色素の整列は液晶48の整列に従う。
　包囲媒体あるいは封じ込め媒体56の屈折率と液晶48の正常屈折率とは、通過する入射光の屈折による光学的な歪みを避けるために、電界印加状態では可能な限り一致すべきである。・・・
　液晶材料の正常屈折率が、異常屈折率よりも封じ込め媒体に近い限り、電界印加状態から電界ゼロ状態に移行し、また電界ゼロ状態から電界印加状態に移行すると散乱に変化を生ずる。
　電界ゼロ状態における液晶による入射光の後方散乱及び前方散乱の増大は、一般に、ネマチィック液晶48の正常屈折率と異常屈折率との差(ΔN)及び封じ込め媒体56の屈折率が高いときに生ずる。しかしながら、ネマチック液晶の正常屈折率を封じ込め媒体の屈折率に調和させることが一般に望ましいので、ネマチィック液晶の複屈折は、ネマチィック液晶を含む膜の光散乱能力の良好な指示になる。かくして、本発明の装置に利用される液晶は可能な最も高いΔNをもつべきである。また、それは、封じ込め媒体の屈折率とほぼ調和する正常屈折率を有する必要がある。ΔNの好ましい範囲は、0.23乃至0.30程度であり、適当であるもっと明確な範囲は約0.23乃至0.25である。」
　
[1-4] 5頁左上欄22行〜右上欄9行
　「カプセル即ち体積の大きさもた、電界ゼロ状態における後方散乱と前方散乱を増大させるように調整するのがよい。カプセルはほぼ球形であり、約0.5ミクロン乃至3.0ミクロンの直径、好ましくは約0.5ミクロン乃至2.5ミクロン、より好ましくは約1.0ミクロン乃至2.0ミクロン、更に好ましくは約1.3ミクロン乃至1.8ミクロン、最も好ましくは約1.3ミクロンの直径を有する。
・・・前述したように、カプセルの大きさ、即ち粒度を例えば約1.5ミクロンまで減少させることで、電界ゼロ状態における後方散乱と前方散乱が増大する。
　
　以上の記載及び図面からみて、引用例には以下の発明が記載されている。
　「好ましくはラテックスである封じ込め媒体と、該封じ込め媒体に分散したネマチィック液晶からなり最も好ましくは約1.3ミクロンの直径の球形の複屈折液晶材料とを有し、全液晶材料の正常屈折率と異常屈折率との差が0.23乃至0.30であり、前記液晶材料は前記封じ込め媒体中にゆがんだ整列を生じさせ、前記液晶材料は、かかる整列に応じて、光を散乱し及び又は吸収し、かつ電界に応答して前記散乱又は吸収の量を減じ、前記電界を印加するための電極被覆基板を有し、前記封じ込め媒体は前記電極被覆基板間に配置され、かつ厚さXはより好ましくは約13乃至16ミクロンの厚さを有し、前記液晶材料の構造と一致する多色性色素を前記液晶材料の中に含有する液晶表示装置。」(以下、「引用発明」という。)
　
　また、前審の拒絶理由で引用された特開平7-5446号公報(以下、「引用例2」という。)には以下の事項が記載されている。
[2-1]【0004】、【0005】、【0006】、図5
　「【0004】以下、簡単に(図5)を用いて高分子分散液晶について説明しておく。高分子分散液晶は、液晶とポリマーの分散状態によって大きく2つのタイプに分けられる。1つは、水滴状の液晶がポリマー中に分散しているタイプである。液晶は、ポリマー中に不連続な状態で存在する。以後、このような液晶をPDLCと呼び、また、前記液晶を用いた液晶パネルをPD液晶パネルと呼ぶ。もう1つは、液晶層にポリマーのネットワークを張り巡らせたような構造をとるタイプである。ちょうどスポンジに液晶を含ませたような格好になる。液晶は、水滴状とならず連続に存在する。以後、このような液晶をPNLCと呼ぶ。前記2種類の液晶パネルで画像を表示するためには光の散乱・透過を制御することにより行う。
【0005】PDLCは、液晶が配向している方向で屈折率が異なる性質を利用する。電圧を印加していない状態では、それぞれの水滴状液晶は不規則な方向に配向している。この状態では、ポリマーと液晶に屈折率の差が生じ、入射光は散乱する。電圧を印加すると液晶の配向方向がそろう。液晶が一定方向に配向したときの屈折率をあらかじめポリマーの屈折率と合わせておくと、入射光は散乱せずに透過する。
【0006】これに対して、PNLCは液晶分子の配向の不規則さそのものを使う。不規則な配向状態、つまり電圧を印加していない状態では入射した光は散乱する。一方、電圧を印加し配列状態を規則的にすると光は透過する。」
　
[2-2] 【0009】、【0010】、【0011】
　「【0009】以下、従来の高分子分散液晶パネルの製造方法について説明する。米国特許公報第4435047号明細書では、液晶はネマティック液晶を用い、ポリマーとして、ポリビニィールアルコール(PVA)を用いている。前記ポリマーと液晶の混合溶液を印刷技術を用いて、電極基板上に塗布し、次に、対向電極が形成された基板との間に狭持させる方法が開示されている。
【0010】特開平3-58021号公報では、ポリマーとして光硬化性アクリル系樹脂を用いた高分子分散液晶パネルが開示されている。前記パネルの製造方法は以下のとおりである。
【0011】2枚の電極基板の電極面が対向するように配置して、内部にビーズ等のスペーサを散布する。電極基板の周辺部を液晶と未硬化の樹脂を混合させた溶液(以後、混合溶液と呼ぶ)を注入する注入口を除き、エポキシ系のシール材で封止をして、所定の基板間隔を有する空セルを作製する。次に、混合溶液を前記空セルの注入口から注入し、注入口を封止する。これに紫外線を照射し、樹脂を硬化して液晶と樹脂とを相分離させて完成する。」
　
【3】本願発明と引用発明との対比
　引用発明における、
(1)ラテックスである封じ込め媒体、
(2)複屈折液晶材料、
(3)電極被覆基板、
(4)厚さ、及び
(5)直径
は、それぞれ本願発明の
(1)高分子、
(2)液晶、
(3)一対の基板、
(4)複合体の厚みd、及び
(5)平均粒径または平均厚みR
に相当する。
　ここで、引用発明の、ラテックスである封じ込め媒体と複屈折液晶材料が複合体をなすことは明らかである。
　
　したがって、両者は、「高分子と液晶とを含む複合体からなり、前記複合体は一対の基板間に形成され、光を散乱させることで表示を行う液晶表示装置であって、前記複合体の厚みがd(μm)、前記液晶の平均粒径がR(μm)である液晶表示装置。」の点で一致し、以下の点で相違する。
　
[相違点1]
[相違点2]
　本願発明の液晶表示装置は、光を散乱させることで表示を行う液晶表示装置であるのに対して、引用発明は、色素を前記液晶材料の中に含有し、光を散乱し及び又は吸収することで表示を行う液晶表示装置である点。
　
【4】判断
　
　次に、[相違点2]を検討するに、引用発明は、色素を前記液晶材料の中に含有し、光を散乱し及び又は吸収することで表示を行う液晶表示装置であるが、記載事項[1-3]、[1-4]からみて、引用発明の液晶表示装置も、封じ込め媒体に分散したネマチック液晶が、色素の配向による効果とは別に、電界に応じて、入射光を散乱させたり、透過させていることは明らかである。したがって、液晶による入射光の散乱によって表示する点で両者に相違はない。また、光を散乱させることにより表示する液晶表示装置において、色素を含有しない液晶とポリマーの複合体を用いることは、例えば、引用例2において知られている。よって、液晶に色素を含まない点は、何ら格別の技術事項ではない。
　
　そして、本願発明の前記[相違点1]及び[相違点2]の構成によりもたらされる効果も引用例1,2から予測される範囲のものである。
　
【5】むすび
　 以上のとおり、本願の請求項1に係る発明は引用例に記載された発明に基づいて当業者が容易に発明できたものであるから、特許法第29条第2項の規定により特許を受けることができない。
　よって、結論のとおり審決する。